(57)【要約】本発明は、空調室内機及び空気調和機を開示する。前記空調室内機は、電気制御ボックスと、清掃モジュールとフィルタレールモジュールとを含み、前記清掃モジュールはフィルタを前記フィルタレールモジュールにおいて移動させるように駆動して前記フィルタを清掃し、前記清掃モジュールに電線接続部が設けられる清掃部材と、前記清掃モジュール及び前記フィルタレールモジュールに配置され、その一端が前記電線接続部に接続され、他端が前記電気制御ボックスに接続される電線と、を含む。本発明の技術的手段は、清掃部材と電気制御ボックスを接続するための電線を清掃モジュール及びフィルタレールモジュールに配置するため、空調室内機の筐体ベースの配線スペースを占用せず、清掃部材における電線の配置を簡素化する。【選択図】図1
2021515166.tif 000002
【特許請求の範囲】
【請求項１】
電気制御ボックスと、
清掃モジュールとフィルタレールモジュールとを含み、前記清掃モジュールはフィルタを前記フィルタレールモジュールにおいて移動させるように駆動して前記フィルタを清掃し、前記清掃モジュールに電線接続部が設けられる清掃部材と、
前記清掃モジュール及び前記フィルタレールモジュールに配置され、その一端は前記電線接続部に接続され、他端は前記電気制御ボックスに接続される電線と、
を含む、空調室内機。
【請求項２】
前記清掃モジュールに配置される前記電線は、第１電線区間であり、前記フィルタレールモジュールに配置される前記電線は第２電線区間であり、
前記第１電線区間は、前記清掃モジュールの高さ方向に沿って配置され、及び／又は、前記第２電線区間は、前記フィルタレールモジュールの長さ方向に沿って配置される、請求項１に記載の空調室内機。
【請求項３】
前記清掃モジュールに配置される前記電線は、第１電線区間であり、前記フィルタレールモジュールに配置される前記電線は第２電線区間であり、
前記第１電線区間は、前記清掃モジュールの外側及び前側に配置され、前記空調室内機は壁体に掛けて用いられ、前記清掃モジュールの前側は前記壁体から離れ、前記清掃モジュールの外側は前記空調室内機の熱交換器から離れる、請求項１に記載の空調室内機。
【請求項４】
前記清掃モジュールの外側に第１電線係止部が設けられ、前記清掃モジュールの前側に第２電線係止部が設けられ、前記第１電線区間は前記第１電線係止部及び前記第２電線係止部を挿通する、請求項３に記載の空調室内機。
【請求項５】
前記第１電線区間及び前記第２電線区間が折れ曲がって設置されるように、前記第２電線係止部が前記フィルタレールモジュールに近接している、請求項４に記載の空調室内機。
【請求項６】
前記第１電線係止部に第１貫通孔が設けられ、前記第１電線区間は前記第１貫通孔を挿通し、
及び／又は、前記第２電線係止部に第２貫通孔が設けられ、前記第１電線区間は前記第２貫通孔を挿通する、請求項４に記載の空調室内機。
【請求項７】
前記清掃モジュールの前側に第３電線係止部が更に設けられ、前記第２電線係止部及び前記第３電線係止部は前記清掃モジュールの高さ方向に沿って上から下に間隔を空けて設けられ、前記第１電線区間はさらに前記第３電線係止部を挿通する、請求項４に記載の空調室内機。
【請求項８】
前記第３電線係止部に電線通過部及び前記電線通過部と連通する引込口が設けられ、前記第１電線区間の一部は前記引込口を介して前記電線通過部に嵌め込まれる、請求項７に記載の空調室内機。
【請求項９】
前記清掃モジュールに配置される前記電線は、第１電線区間であり、前記フィルタレールモジュールに配置される前記電線は第２電線区間であり、
前記第２電線区間は、前記フィルタレールモジュールの前側に配置され、前記空調室内機は壁体に掛けて用いられ、前記フィルタレールモジュールの前側は前記壁体から離れる、請求項１に記載の空調室内機。
【請求項１０】
前記フィルタレールモジュールの前側に第４電線係止部が設けられ、前記第２電線区間は前記第４電線係止部を挿通する、請求項９に記載の空調室内機。
【請求項１１】
前記第４電線係止部に電線通過溝及び前記電線通過溝に連通する入線口が設けられ、前記電線通過溝は前記フィルタレールモジュールの長さ方向に沿って配置され、前記第２電線区間の少なくとも一部は前記入線口を介して前記電線通過溝に嵌め込まれる、請求項１０に記載の空調室内機。
【請求項１２】
前記第４電線係止部は、第１位置制限部材と第２位置制限部材とを含み、前記第１位置制限部材の数は少なくとも２個であり、前記第１位置制限部材及び前記第２位置制限部材が互い違いに間隔を空けて配置され、前記第１位置制限部材と前記第２位置制限部材の間に電線通過溝及び前記電線通過溝に連通する入線口が形成され、前記第２電線区間の少なくとも一部は前記入線口を介して前記電線通過溝に嵌め込まれる、請求項１０に記載の空調室内機。
【請求項１３】
前記第２位置制限部材は、前記フィルタレールモジュールの長さ方向に沿って配置され、前記第２電線区間の少なくとも一部が前記第２位置制限部材によって支持される、請求項１２に記載の空調室内機。
【請求項１４】
前記清掃モジュールは、前記フィルタレールモジュールの一端に連結され、前記電気制御ボックスは前記フィルタレールモジュールの他端に近接しており、
及び／又は、前記空調室内機はパネルフレームを更に含み、前記パネルフレームは前記清掃部材に覆設され、前記清掃部材は前記パネルフレームから分離可能である、請求項１に記載の空調室内機。
【請求項１５】
その一端が前記清掃モジュールに接続され、他端に第１接続端子が設けられる第１電線と、
その一端が前記電気制御ボックスに接続され、他端に第２接続端子が設けられる第２電線と、
前記清掃モジュールと前記電気制御ボックスの間に設けられる吸気グリルと、
をさらに含み、
前記第１電線は前記電気制御ボックスに向かって伸び、前記第２電線が前記清掃モジュールに向かって伸び、前記第１接続端子と前記第２接続端子が接続されて突合せ接続部となり、前記突合せ接続部が前記吸気グリルに固定される、請求項１に記載の空調室内機。
【請求項１６】
前記第１電線の少なくとも一部は、前記吸気グリルに固定され、前記第２電線の少なくとも一部は前記吸気グリルに固定される、請求項１５に記載の空調室内機。
【請求項１７】
前記突合せ接続部は、前記吸気グリルの前側に固定され、前記第１電線の少なくとも一部は前記吸気グリルの前側に固定され、前記第２電線の少なくとも一部は前記吸気グリルの前側に固定され、前記空調室内機を壁体に掛けた時、前記吸気グリルの前側が前記壁体から離れ、前記吸気グリルの後側が前記壁体に近接している、請求項１６に記載の空調室内機。
【請求項１８】
前記吸気グリルの前側に複数の第１位置制限部材が設けられ、複数の前記第１位置制限部材は前記吸気グリルの長さ方向に沿って離間して設けられ、隣り合う前記第１位置制限部材の間に第２位置制限部材が設けられ、前記第１位置制限部材と前記第２位置制限部材とで収容室及び前記収容室に連通する入線口を画定し、前記突合せ接続部は前記入線口を介して前記収容室に嵌め込まれ、前記第１電線の少なくとも一部は前記入線口を介して前記収容室に嵌め込まれ、前記第２電線の少なくとも一部は前記入線口を介して前記収容室に嵌め込まれる、請求項１７に記載の空調室内機。
【請求項１９】
前記第１位置制限部材は、前記吸気グリルの厚さ方向に沿って伸びるように設けられ、前記突合せ接続部は前記第１位置制限部材の内側に設けられ、前記第１位置制限部材の内側は前記収容室に隣接する、請求項１８に記載の空調室内機。
【請求項２０】
前記第１位置制限部材の内側に位置制限リブが設けられ、前記位置制限リブの数は少なくとも２本であり、２本の前記位置制限リブは前記吸気グリルの長さ方向に沿って離間して設けられ、前記突合せ接続部は２本の前記位置制限リブの間に設けられる、請求項１９に記載の空調室内機。
【請求項２１】
前記第１電線の少なくとも一部は、前記第２位置制限部材に支持され、前記第２電線の少なくとも一部は前記第２位置制限部材に支持される、請求項１９に記載の空調室内機。
【請求項２２】
内側に前記突合せ接続部が設けられた前記第１位置制限部材を突合せ接続部用位置制限部材とし、他の前記第１位置制限部材を非突合せ接続部用位置制限部材として定義し、
前記突合せ接続部用位置制限部材に近接している前記第２位置制限部材を受け部材とし、前記非突合せ接続部用位置制限部材に近接している前記第２位置制限部材を支持部材として定義し、
前記受け部材は、互いに固定された第１受け部と第２受け部とを含み、前記第１受け部が平板状を呈し、かつ横方向に設けられ、前記第１電線の少なくとも一部及び前記第２電線の少なくとも一部は前記第１受け部に支えられ、
前記支持部材は、互いに固定された第１支持部と第２支持部とを含み、前記第１支持部が平板状を呈し、かつ縦方向に設けられ、前記第１電線の少なくとも一部及び前記第２電線の少なくとも一部は前記第１支持部に支えられる、請求項２１に記載の空調室内機。
【請求項２３】
前記空調室内機は、パネルフレームを含み、前記パネルフレームに吸気口が設けられ、前記吸気グリルは前記吸気口に設けられ、前記吸気グリルは前記パネルフレームから分離可能である、請求項１５に記載の空調室内機。
【請求項２４】
空調室外機と、請求項１〜２３のいずれか一項に記載の空調室内機とを含む、空気調和機。
【発明の詳細な説明】
【技術分野】
【０００１】
本願は、「空調室内機及び空気調和機」と題し、２０１９年１月３１日に出願された、中国特許出願番号第２０１９１０１００９８７．７号及び中国特許出願番号第２０１９２０１７９２３７．９号の優先権、「空調室内機及び空気調和機」と題し、２０１９年３月１３日に出願された、中国特許出願番号第２０１９２０３２１９３１．Ｘ号の優先権を主張し、その全内容は、引用により本明細書に組み込まれる。
【０００２】
本発明は、空気調和機技術分野に関し、特に、空調室内機及び空気調和機に関する。
【背景技術】
【０００３】
空調室内機内には清掃部材を設けてフィルタの清掃を実現する。清掃部材の設置には、空調室内機の内部に清掃部材と電気制御ボックスとを接続するための配線が必要である。従来技術ではそれらの電線を空調室内機のベースに配線しなければならないが、ベース上には風向板の動きを制御するための電線が配線されており、この２種類の電線を一緒に配線すると混乱が起きやすく、かつ必要なスペースも大きく、配線構造に対する設計要求が高い。
【０００４】
ここでの記述は、単に本願に関連する背景情報を提供するものであり、必ずしも先行技術を構成するものではない。
【発明の概要】
【発明が解決しようとする課題】
【０００５】
本発明は、清掃部材の電線配置を簡素化できる空調室内機及び空気調和機を提供することを主な目的とする。
【課題を解決するための手段】
【０００６】
上記目的を達成するため、本発明は空調室内機を開示し、前記空調室内機は、
電気制御ボックスと、
清掃モジュールとフィルタレールモジュールとを含み、前記清掃モジュールは、フィルタを前記フィルタレールモジュールにおいて移動させるように駆動して前記フィルタを清掃し、前記清掃モジュールに電線接続部が設けられる清掃部材と、
前記清掃モジュール及び前記フィルタレールモジュールに配置され、その一端は前記電線接続部に接続され、他端は前記電気制御ボックスに接続される電線と、
を含む。
【０００７】
本発明の一実施形態では、前記清掃モジュールに配置される前記電線は第１電線区間であり、前記フィルタレールモジュールに配置される前記電線は第２電線区間であり、
前記第１電線区間は、前記清掃モジュールの高さ方向に沿って配置され、及び／又は、前記第２電線区間は、前記フィルタレールモジュールの長さ方向に沿って配置される。
【０００８】
本発明の一実施形態では、前記清掃モジュールに配置される前記電線は第１電線区間であり、前記フィルタレールモジュールに配置される前記電線は第２電線区間であり、
前記第１電線区間は、前記清掃モジュールの外側及び前側に配置され、前記空調室内機は壁体に掛けて用いられ、前記清掃モジュールの前側は前記壁体から離れ、前記清掃モジュールの外側は前記空調室内機の熱交換器から離れる。
【０００９】
本発明の一実施形態では、前記清掃モジュールの外側に第１電線係止部が設けられ、前記清掃モジュールの前側にも第２電線係止部が設けられ、前記第１電線区間は前記第１電線係止部及び前記第２電線係止部を挿通する。
【００１０】
本発明の一実施形態では、前記第１電線区間及び前記第２電線区間が折れ曲がって設置されるように、前記第２電線係止部が前記フィルタレールモジュールに近接している。
【００１１】
本発明の一実施形態では、前記第１電線係止部に第１貫通孔が設けられ、前記第１電線区間は前記第１貫通孔を挿通し、
及び／又は、前記第２電線係止部に第２貫通孔が設けられ、前記第１電線区間は前記第２貫通孔を挿通する。
【００１２】
本発明の一実施形態では、前記清掃モジュールの前側に第３電線係止部が更に設けられ、前記第２電線係止部及び前記第３電線係止部は前記清掃モジュールの高さ方向に沿って上から下に間隔を空けて設けられ、前記第１電線区間はさらに前記第３電線係止部を挿通する。
【００１３】
本発明の一実施形態では、前記第３電線係止部に電線通過部及び前記電線通過部と連通する引込口が設けられ、前記第１電線区間の一部は前記引込口を介して前記電線通過部に嵌め込まれる。
【００１４】
本発明の一実施形態では、前記清掃モジュールに配置される前記電線は第１電線区間であり、前記フィルタレールモジュールに配置される前記電線は第２電線区間であり、
前記第２電線区間は、前記フィルタレールモジュールの前側に配置され、前記空調室内機は壁体に掛けて用いられ、前記フィルタレールモジュールの前側は前記壁体から離れる。
【００１５】
本発明の一実施形態では、前記フィルタレールモジュールの前側に第４電線係止部が設けられ、前記第２電線区間は前記第４電線係止部を挿通する。
【００１６】
本発明の一実施形態では、前記第４電線係止部に電線通過溝及び前記電線通過溝に連通する入線口が設けられ、前記電線通過溝は前記フィルタレールモジュールの長さ方向に沿って配置され、前記第２電線区間の少なくとも一部は前記入線口を介して前記電線通過溝に嵌め込まれる。
【００１７】
本発明の一実施形態では、前記第４電線係止部は、第１位置制限部材と第２位置制限部材とを含み、前記第１位置制限部材の数は少なくとも２個であり、前記第１位置制限部材及び前記第２位置制限部材が互い違いに間隔を空けて配置され、前記第１位置制限部材と前記第２位置制限部材の間に電線通過溝及び前記電線通過溝に連通する入線口が形成され、前記第２電線区間の少なくとも一部は前記入線口を介して前記電線通過溝に嵌め込まれる。
【００１８】
本発明の一実施形態では、前記第２位置制限部材は、前記フィルタレールモジュールの長さ方向に沿って配置され、前記第２電線区間の少なくとも一部は前記第２位置制限部材によって支持される。
【００１９】
本発明の一実施形態では、前記清掃モジュールは、前記フィルタレールモジュールの一端に連結され、前記電気制御ボックスは前記フィルタレールモジュールの他端に近接しており、
及び／又は、前記空調室内機はパネルフレームを更に含み、前記パネルフレームは前記清掃部材に覆設され、前記清掃部材は前記パネルフレームから分離可能である。
【００２０】
本発明は、空気調和機を更に開示し、前記空気調和機は空調室外機と上記いずれかの実施形態の空調室内機とを含む。
【発明の効果】
【００２１】
本発明の技術的手段は、清掃部材と電気制御ボックスとを接続するための電線を清掃モジュール及びフィルタレールモジュールに配置し、すなわち、電線が清掃モジュール及びフィルタレールモジュールに沿って配置されるため、空調室内機のベースの配線スペースを占用せず、清掃部材に接続される電線の配置を簡素化する。
【００２２】
以下、本発明の実施形態又は従来技術内の技術的手段を明確に説明するため、実施形態又は従来技術の描写中に使用する必要がある添付図面を簡単に説明する。以下に描写する添付図面は、本発明の幾つかの実施形態に過ぎず、当業者にとって格別の創意工夫を要すものではないとして、それらの添付図面に示す構造に基づいてその他の添付図面を得ることができる。
【図面の簡単な説明】
【００２３】
【図１】本発明の一実施例における電線が清掃部材に配置された態様を示す模式図である。
【図２】図１内の破線で囲まれた部位の拡大図である。
【図３】本発明の一実施例における清掃部材に配置された電線の構造を示す模式図である。
【図４】本発明の一実施例における清掃部材の構造を示す模式図である。
【図５】図４内の部位Ａの拡大図である。
【図６】図４内の部位Ｂの拡大図である。
【図７】本発明の一実施例における第１電線と第２電線が接続された後、吸気グリルに固定される場合の構造を示す模式図である。
【図８】図７内の破線で囲まれた部位の拡大図である。
【図９】本発明の一実施例に係る第１電線と第２電線及び吸気グリルの分解図である。
【図１０】本発明の一実施例に係る吸気グリル及び突合せ接続部の分解図である。
【図１１】図１０内の破線で囲まれた部位の拡大図である。
【発明を実施するための形態】
【００２４】
本発明の目的の達成、機能・特徴及び利点について、添付図面を基に実施形態を組み合わせて更なる説明を行う。
【００２５】
以下、本発明の実施形態内の添付図面を組み合わせて本発明の実施形態内の技術的手段について詳細に説明する。記載される実施形態は、本発明の一部実施形態に過ぎず、全ての実施形態ではない。本発明の実施形態に基づいて当業者が格別の創意工夫をせずに得られたその他の実施形態は、すべて本発明の保護範囲に属する。
【００２６】
ここで言及すべき点は、本発明の実施形態において、方向に関する表現（例えば「上」、「下」、「左」、「右」、「前」、「後」など）が示した方向はいずれも、単に所定の姿勢（添付図面に示される通り）における各要素間の相対的な位置関係や、動きの状況を説明するために用いられ、当該所定の姿勢に変更があった場合、該示された方向もそれに伴って変更される。
【００２７】
本発明において、別段の定義及び限定がない限り、用語「連結」、「固定」等は広義に解釈され、例えば「固定」が固結、取り外し可能な連結或いは一体となり、機械的な結合、電気的な接続、直接的な連結、中間要素を介する間接的な連結、２個の要素内部の連通或いは２個の要素の相互作用関係とすることができる。当業者であれば、具体的な状況によって上記用語の本発明における具体的な意味を理解できる。
【００２８】
なお、本発明の実施形態において例えば用語「第１」、「第２」等は単に説明の目的で使われており、相対的な重要性を示す又は示唆する、或いは示された技術的特徴の数を暗示すると理解してはいけない。「第１」、「第２」と限定されている特徴は、当該特徴が少なくとも一つ含まれることを明示又は暗示するものである。また本発明の各実施形態の間の技術的手段は相互に結合することができるが、当業者が実施できることを前提とする。技術的手段の結合が互いに矛盾する時或いは実現できない時、この技術的手段の結合は存在せず、本発明請求の保護範囲外であると判断されるべきである。
【００２９】
本発明は、空調室内機を提供する。
【００３０】
本発明の一実施形態では、図１乃至図３に示すように、前記空調室内機は、
電気制御ボックス（図示せず）と、
清掃モジュール２１０とフィルタレールモジュール２２０とを含み、前記清掃モジュール２１０はフィルタを前記フィルタレールモジュール２２０において移動させるように駆動して前記フィルタを清掃し、前記清掃モジュール２１０に電線接続部（図示せず）が設けられる清掃部材２００と、
前記清掃モジュール２１０及び前記フィルタレールモジュール２２０に配置され、その一端は前記電線接続部に接続され、他端は前記電気制御ボックスに接続される電線Ａ４００と、
を含む。
【００３１】
本実施形態では、電気制御ボックスは、内部にプリント回路基板を有し、空調室内機を制御するための重要モジュールであることが理解できる。清掃部材２００は、フィルタ駆動及び清掃するための部材である。すなわち、空調室内機は運転中に空気を循環させ、空気が空調室内機に入った後、熱交換器を通過する前に、フィルタによりろ過される必要があるが、空調室内機が長期間使用された後は、フィルタが汚れているため、清掃部材２００によりフィルタを清掃する。清掃部材２００によるフィルタの清掃プロセスは、次の通りである。すなわち、まずフィルタを清掃部材２００内において移動させるよう駆動し、移動過程でフィルタの清掃を実現し、清掃部材２００の具体的な構造は出願人の本発明の出願日前の他の特許出願を参考にできる。清掃部材２００の制御を実現するため、電線Ａ４００を介して電気制御ボックスと清掃部材２００とを接続する必要があり、電線Ａ４００は電力及び／又は信号を伝送するために用いられる。
【００３２】
例えば、清掃モジュール２１０は、フィルタ移動を駆動するための駆動機構、フィルタを清掃するための清掃機構、ウォーターポンプ及び水収容室等を備え、ウォーターポンプが空調室内機で発生した凝縮水を水収容室まで汲み上げ、駆動機構はフィルタの移動を駆動すると共にフィルタを清掃し、フィルタレールモジュール２２０はレールを備え、フィルタがレール内で移動できる。一般的に言えば、電線Ａ４００は、清掃モジュール２１０のウォーターポンプ及び駆動機構に接続する必要があるため、電線Ａ４００を２つの区間に分割し、第１区間Ａ４１０を清掃モジュール２１０に配置し、他の区間Ａ４２０をフィルタレールモジュール２２０に配置する。すなわち、電線Ａ４００は、清掃モジュール２１０及びフィルタレールモジュール２２０に沿って配置されることで、電線Ａ４００を空調室内機の筐体ベースに配置してその他の電線のスペースを取らず、その他の電線と一緒に配置されることで乱雑になることを避け、それにより清掃部材２００を接続する電線Ａ４００の配線の接続を簡素化できる。
【００３３】
本発明の一実施形態では、図３乃至図５に示すように、前記清掃モジュール２１０に配置される前記電線Ａ４００は第１電線区間Ａ４１０であり、前記フィルタレールモジュール２２０に配置される前記電線Ａ４００は第２電線区間Ａ４２０であり、
前記第１電線区間Ａ４１０は、前記清掃モジュール２１０の高さ方向に沿って配置され、及び／又は、前記第２電線区間Ａ４２０は、前記フィルタレールモジュール２２０の長さ方向に沿って配置される。
【００３４】
本実施形態では、一般的に言えば、清掃モジュール２１０とフィルタレールモジュール２２０は、空調室内機の内部空間を十分に活用するように、直交して設けられ、このように第１電線区間Ａ４１０が清掃モジュール２１０の高さ方向に沿って配置され、第２電線区間Ａ４２０がフィルタレールモジュール２２０の長さ方向に沿って配置されることで、電線Ａ４００の長さを最小化することができる。
【００３５】
本発明の一実施形態では、図３乃至図５に示すように、前記清掃モジュール２１０に配置される前記電線Ａ４００は第１電線区間Ａ４１０であり、前記フィルタレールモジュール２２０に配置される前記電線Ａ４００は第２電線区間Ａ４２０であり、
前記第１電線区間Ａ４１０は、前記清掃モジュール２１０の外側及び前側に配置され、前記空調室内機は壁体に掛けて用いられ、前記清掃モジュール２１０の前側は前記壁体から離れ、前記清掃モジュール２１０の外側は前記空調室内機の熱交換器から離れる。
【００３６】
本実施形態では、清掃モジュール２１０内の各部品の設置を実現するため、第１電線区間Ａ４１０の一部を外側に配置し、残りの部分を前側に配置し、清掃モジュール２１０内の部品の設置が容易になり、電線Ａ４００全体の配置も便利である。清掃モジュール２１０の壁体から離れた側を前側、壁体に近い側を後側、空調室内機の熱交換器に近い側を内側、空調室内機の熱交換器から離れた側を外側とする。かつ、清掃モジュール２１０の前側が対応するスペースは、比較的余裕があり、清掃モジュール２１０の前側のスペースを十分利用できる。
【００３７】
具体的に言えば、図４及び図５に示すように、前記清掃モジュール２１０の外側に第１電線係止部２１１が設けられ、前記清掃モジュール２１０の前側に第２電線係止部２１２が設けられ、前記第１電線区間Ａ４１０は前記第１電線係止部２１１及び前記第２電線係止部２１２を挿通する。本実施形態では、第１電線係止部２１１は、第１電線区間Ａ４１０を拘束するための構造であるため、例えば、空調室内機における他の配線の制限形態など、様々な形態を採用できる。第２電線係止部２１２についても同様である。第１電線係止部２１１及び第２電線係止部２１２の設置によって、第１電線区間Ａ４１０を清掃モジュール２１０の外側及び前側に配置する。
【００３８】
一実施形態では、図４及び図５に示すように、前記第１電線区間Ａ４１０及び前記第２電線区間Ａ４２０が折れ曲がって設置されるように、前記第２電線係止部２１２は前記フィルタレールモジュール２２０に近接している。本実施形態では、このような設置によって、第１電線区間Ａ４１０及び第２電線区間Ａ４２０は、清掃モジュール２１０とフィルタレールモジュール２２０の結合部と対応するよう折り曲げられて形成され、電線Ａ４００が清掃部材２００から外れて垂れ下がった状態にならないため、電線Ａ４００が空調室内機の組み立て時に圧迫されることを防ぐことができる。
【００３９】
具体的に言えば、図４及び図５に示すように、前記第１電線係止部２１１に第１貫通孔２１１１が設けられ、前記第１電線区間Ａ４１０は前記第１貫通孔２１１１を挿通し、
及び／又は、前記第２電線係止部２１２に第２貫通孔２１２１が設けられ、前記第１電線区間Ａ４１０は前記第２貫通孔２１２１を挿通する。
【００４０】
本実施形態では、第１電線係止部２１１は、閉じた環状構造を呈し、第１貫通孔２１１１を備えるため、第１電線区間Ａ４１０が第１貫通孔２１１１を挿通し、すなわち、第１電線区間Ａ４１０が第１電線係止部２１１を挿通して第１貫通孔２１１１内に拘束されることで、変位を防止する。第２電線係止部２１２についても同様であるため、ここでその説明を省略する。第１電線区間Ａ４１０は、清掃モジュール２１０の外側及び前側に沿って配置されるため、屈曲状態にあり、第１電線係止部２１１及び第２電線係止部２１２の設置により、第１電線区間Ａ４１０の離脱を防止する。
【００４１】
さらに、図４及び図５に示すように、前記清掃モジュール２１０の前側に第３電線係止部２１３が更に設けられ、前記第２電線係止部２１２及び前記第３電線係止部２１３は前記清掃モジュール２１０の高さ方向に沿って上から下に間隔を空けて設けられ、前記第１電線区間Ａ４１０はさらに前記第３電線係止部２１３を挿通する。本実施形態では、第３電線係止部２１３は、第１電線区間Ａ４１０を拘束するための構造であるため、様々な形態を採用できる。清掃モジュール２１０の高さ方向は、空調室内機を壁体に掛ける状態を例にすると、清掃モジュール２１０は一定の高さを有するため、第２電線係止部２１２と第３電線係止部２１３が間隔を空けて設けられることにより、清掃モジュール２１０の前側に位置する第１電線区間Ａ４１０を効果的に固定でき、第１電線区間Ａ４１０の一部が垂れ下がることを避けることができる。
【００４２】
具体的に言えば、図４及び図５に示すように、前記第３電線係止部２１３に電線通過部２１３１及び前記電線通過部２１３１と連通する引込口２１３２が設けられ、前記第１電線区間Ａ４１０の一部が前記引込口２１３２を介して前記電線通過部２１３１に嵌め込まれる。本実施形態では、第３電線係止部２１３は、閉じた環状構造ではなく、電線通過部２１３１を備える。第１電線区間Ａ４１０の一部が引込口２１３２を介して電線通過部２１３１に嵌め込まれることで、第１電線区間Ａ４１０全体が、第３電線係止部２１３を挿通した状態となる。第１電線区間Ａ４１０が第１電線係止部２１１或いは第２電線係止部２１２を挿通した後、第１電線区間Ａ４１０の一部を第３電線係止部２１３に嵌め込むだけでよく、第１電線区間Ａ４１０の組み付け効率をアップできる。また、第１電線係止部２１１及び第２電線係止部２１２が閉じた環状構造である場合に、第１電線区間Ａ４１０が第１電線係止部２１１及び第２電線係止部２１２から外れにくくなり、第１電線区間Ａ４１０の固定効果を保証する前提において、第１電線区間Ａ４１０の配置効率を高める。
【００４３】
本発明の一実施形態では、図４及び図６に示すように、前記清掃モジュール２１０に配置される前記電線Ａ４００は第１電線区間Ａ４１０であり、前記フィルタレールモジュール２２０に配置される前記電線Ａ４００が第２電線区間Ａ４２０であり、
前記第２電線区間Ａ４２０は、前記フィルタレールモジュール２２０の前側に配置され、前記空調室内機が壁体に掛けられた時、前記フィルタレールモジュール２２０の前側が前記壁体から離れる。本実施形態では、第１電線区間Ａ４１０の一部が清掃モジュール２１０の前側に配置されるのと同じように、第２電線区間２２０がフィルタレールモジュール２２０の前側に配置されることにより、同様に空間の利用率を高め、電線の長さを最小化することができる。
【００４４】
具体的に言えば、図６に示すように、前記フィルタレールモジュール２２０の前側に第４電線係止部２２１が設けられ、前記第２電線区間Ａ４２０は前記第４電線係止部２２１を挿通する。第４電線係止部２２１は、第２電線区間Ａ４２０を拘束するための構造であり、様々な形態を採用できる。第２電線区間Ａ４２０が第４電線係止部２２１を挿通した時、第４電線係止部２２１に拘束されることで、フィルタレールモジュール２２０に配置されることを実現する。第１電線区間Ａ４１０の配置に合わせ、上記構造によって、電線Ａ４００を清掃部材２００内に速やかに配置させることができる。
【００４５】
本発明の一実施形態では、図６に示すように、前記第４電線係止部２２１に電線通過溝２２１３及び前記電線通過溝２２１３に連通する入線口２２１４が設けられ、前記電線通過溝２２１３は前記フィルタレールモジュール２２０の長さ方向に沿って配置され、前記第２電線区間Ａ４２０の少なくとも一部が前記入線口２２１４を介して前記電線通過溝２２１３に嵌め込まれる。本実施形態では、電線通過溝２２１３は、第２電線区間Ａ４２０を収容するための空間であり、電線通過溝２２１３がフィルタレールモジュール２２０の長さ方向に沿って設けられるため、第２電線区間Ａ４２０は一般的に屈曲状況を有しない。こうして第２電線区間Ａ４２０は、入線口２２１４を介して電線通過溝２２１３内に嵌め込まれ、第２電線区間Ａ４２０が第４電線係止部２２１を挿通する状態となる。電線通過溝２２１３の長さが比較的長い場合、第２電線区間Ａ４２０は電線通過溝２２１３内にほぼ完全に嵌め込まれることができ、第２電線区間Ａ４２０の末端が電気制御ボックスに接続され、電線通過溝２２１３の長さが比較的短い場合、第２電線区間Ａ４２０の一部が電線通過溝内に嵌め込まれる。
【００４６】
具体的に言えば、図６に示すように、前記第４電線係止部２２１は、第１位置制限部材２２１１と第２位置制限部材２２１２とを含み、前記第１位置制限部材２２１１の数は少なくとも２個であり、前記第１位置制限部材２２１１及び前記第２位置制限部材２２１２が互い違いに間隔を空けて配置され、前記第１位置制限部材２２１１と前記第２位置制限部材２２１２の間に電線通過溝２２１３及び前記電線通過溝２２１３に連通する入線口２２１４が形成され、前記第２電線区間Ａ４２０の少なくとも一部が前記入線口２２１４を介して前記電線通過溝２２１３に嵌め込まれる。
【００４７】
本発明の一実施形態では、図６に示すように、前記第２位置制限部材２２１２は、前記フィルタレールモジュール２２０の長さ方向に沿って配置され、前記第２電線区間Ａ４２０の少なくとも一部が前記第２位置制限部材２２１２によって支持される。本実施形態では、第２電線区間Ａ４２０は重力の作用下で、下向きに落ちる傾向があり、第２位置制限部材２２１２をフィルタレールモジュール２２０の長さ方向に沿って設け、すなわち、第２位置制限部材２２１２が一定の長さを有し、第２電線区間Ａ４２０の少なくとも一部が第２位置制限部材２２１２によって支持されるため、第２電線区間Ａ４２０の配置をより安定させることができる。
【００４８】
本発明の一実施形態では、図１に示すように、前記清掃モジュール２１０は、前記フィルタレールモジュール２２０の一端に連結され、前記電気制御ボックスは前記フィルタレールモジュール２２０の他端に近い。本実施形態では、清掃モジュール２１０は、フィルタレールモジュール２２０の一端に位置し、電気制御ボックスがフィルタレールモジュール２２０の他端に近く、熱交換器及びダクト組立体が清掃モジュール２１０と電気制御ボックスの間に位置するため、空調室内機の空間を十分活用できる。
【００４９】
前記空調室内機は、パネルフレーム（図示せず）を更に含み、前記パネルフレームに前記清掃部材２００を覆設し、前記清掃部材２００は前記パネルフレームから分離可能である。
【００５０】
本実施形態では、パネルフレームに吸気口が設けられており、フィルタレールモジュール２２０は吸気口に位置し、空気が吸気口、すなわち、フィルタレールモジュール２２０を通過し、フィルタレールモジュール内に位置するフィルタで空気をろ過する。清掃部材は、パネルフレームから分離可能であるため、別個の機能部品であり、空調室内機を組み立てる前に清掃部材２００の機能について検査できる。また、電線Ａ４００は、清掃部材２００（清掃モジュール２１０及びフィルタレールモジュール２２０）上に配置されるため、空調室内機の組み立て前に電線Ａ４００の配置を実現でき、清掃部材２００を空調室内機の筐体ベースに取り付けられた後に電線Ａ４００を配置することを避け、更に組み立て効率を向上することができる。
【００５１】
本発明の他の幾つかの実施形態では、図７乃至図１１に示すように、前記空調室内機は、
その一端は、前記清掃モジュールに接続され、他端に第１接続端子Ｂ２１０が設けられる第１電線１１０と、
その一端は、前記電気制御ボックスに接続され、他端に第２接続端子Ｂ２２０が設けられる第２電線１２０と、
前記清掃モジュールと前記電気制御ボックスの間に設けられ、前記第１電線１１０が前記電気制御ボックスに向かって伸び、前記第２電線１２０が前記清掃モジュールに向かって伸び、前記第１接続端子Ｂ２１０と前記第２接続端子Ｂ２２０が接続されて突合せ接続部Ｂ２００となり、前記突合せ接続部Ｂ２００が固定される吸気グリル３００と、
を含む。
【００５２】
吸気グリル３００は、空調室内機の吸気口に設けられ、フィルタが吸気グリル３００に設けられ、空調室内機が運転中に空気を循環させ、空気が吸気グリル３００を通過した時、フィルタでろ過され、空調室内機が長期間使用された後は、フィルタ上にも容易に塵埃、綿埃等の汚れが堆積するため、清掃モジュールの設置によってフィルタを清掃する。
【００５３】
清掃モジュールは、吸気グリル３００の一端に位置し、清掃ボックス、清掃機構、駆動機構及び電気機器などを含み、電気機器はモータ、ウォーターポンプ及び排水弁などを含み、清掃ボックスに水収容室が設けられ、モータが駆動機構を駆動してフィルタの運動を駆動させ、同時に清掃機構を駆動させてフィルタを清掃し、フィルタ上の汚れがフィルタから離脱して水収容室に落ち、ウォーターポンプが水収容室から水と汚れを混合した汚水を汲み上げ、排水弁で排水を制御して汚水を排出させる。
【００５４】
清掃モジュールの制御を実現するため、清掃モジュールの電気機器は、電気制御ボックスと電気的に接続する必要があるため、第１電線１１０を配置する必要があり、第１電線１００の一端が清掃モジュールの電気機器に接続し、他端に第１接続端子Ｂ２１０が設けられる。電気制御ボックスと清掃モジュールは間隔を空けて設けられ、電気制御ボックスが吸気グリル３００に近い他端に設けられる。電気制御ボックスに第２電線１２０が設けられ、第２電線１２０の末端に第２接続端子Ｂ２２０が設けられる。第１電線１１０は、電気制御ボックスに向かって伸び、第２電線１２０が清掃モジュールに向かって伸び、第１接続端子Ｂ２１０と第２接続端子Ｂ２２０を接続して突合せ接続部Ｂ２００となり、突合せ接続部Ｂ２００を吸気グリル３００に固定する。電気制御ボックスを空調室内機の制御において重要な部分とするため、その他の部材と電気的に接続する必要があり、すなわち電気制御ボックスがある領域に多くの接続端子がある。本実施形態では、第２電線１２０が清掃モジュールに向かって伸び、すなわち第２接続端子Ｂ２２０が電気制御ボックスから離れ、第２接続端子Ｂ２２０と第１接続端子Ｂ２１０が接続されて突合せ接続部Ｂ２００となり、すなわち、第１接続端子Ｂ２１０も電気制御ボックスから離れているため、電気制御ボックスがある領域の接続端子の数を減らすことで、接続端子の乱雑さを避け、電線整理をより容易にし、かつ電気制御ボックスがある領域の接続端子の数も減らすため、電磁干渉を一定程度減らす。
【００５５】
突合せ接続部Ｂ２００が効果的に固定されるように、突合せ接続部Ｂ２００を吸気グリル３００に固定するが、突合せ接続部Ｂ２００は第１接続端子Ｂ２１０と第２接続端子Ｂ２２０を接続して成る（例えば突き合わせにより第１電線１１０と第２電線１２０の電気的な接続を実現する）。第１電線１１０、第１接続端子Ｂ２１０、第２接続端子Ｂ２２０及び第２電線１２０は全体として効果的に固定されるために、本発明の一実施形態では、図１及び図２に示すように、前記第１電線１１０の少なくとも一部は前記吸気グリル３００に固定され、前記第２電線１２０の少なくとも一部は前記吸気グリル３００に固定される。本実施形態では、少なくとも一部の第１電線１１０は吸気グリル３００に固定され、少なくとも一部の第２電線１２０が吸気グリル３００に固定されることで、第１電線１１０、第１接続端子Ｂ２１０、第２接続端子Ｂ２２０及び第２電線１２０は全体として効果的に固定されている。
【００５６】
例えば第１電線１１０は、第１電線区間と第２電線区間とを含み、第１電線１１０の第１電線区間が清掃モジュールから引き出され、第１電線１１０の第２電線区間が吸気グリル３００に固定される。第２電線１２０は、第１電線区間と第２電線区間とを含み、第２電線１２０の第１電線区間が電気制御ボックスから引き出され、第２電線１２０の第２電線区間が吸気グリル３００に固定され、第１電線１１０の第２電線区間が第１接続端子Ｂ２１０に設けられ、第２電線１２０の第２電線区間に第２接続端子Ｂ２２０が設けられ、第１接続端子Ｂ２１０と第２接続端子Ｂ２２０が接続されて突合せ接続部Ｂ２００となる。
【００５７】
本発明の一実施形態では、図１に示すように、前記突合せ接続部Ｂ２００は前記吸気グリル３００の前側に固定され、前記第１電線１１０の少なくとも一部が前記吸気グリル３００の前側に固定され、前記第２電線１２０の少なくとも一部が前記吸気グリル３００の前側に固定される。前記空調室内機を壁体に掛けた時、前記吸気グリル３００の前側が前記壁体から離れ、前記吸気グリル３００の後側を前記壁体に近接している。本実施形態では、空調室内機の組み立て時、吸気グリル３００の後側が筐体ベースに密着し、突合せ接続部Ｂ２００、第１電線１１０の少なくとも一部及び第２電線１２０の少なくとも一部が吸気グリル３００の前側に固定されることで、作業者の取付け作業をより容易にする。
【００５８】
本発明の一実施形態では、図２乃至図５に示すように、前記吸気グリル３００の前側に複数の第１位置制限部材４１０が設けられ、複数の前記第１位置制限部材４１０は前記吸気グリル３００の長さ方向に沿って離間して設けられ、隣り合う前記第１位置制限部材４１０の間に第２位置制限部材４２０が設けられ、前記第１位置制限部材４１０と前記第２位置制限部材４２０とで収容室４０１及び前記収容室４０１に連通する入線口４０２を画定し、前記突合せ接続部Ｂ２００が前記入線口４０２を介して前記収容室４０１に嵌め込まれ、前記第１電線１１０の少なくとも一部が前記入線口４０２を介して前記収容室４０１に嵌め込まれ、前記第２電線１２０の少なくとも一部が前記入線口４０２を介して前記収容室４０１に嵌め込まれる。
【００５９】
本実施形態では、図３に示すように、収容室４０１は、吸気グリル３００の長さ方向に沿って伸びるように設けられ、収容室４０１及び入線口４０２が第１位置制限部材４１０と第２位置制限部材４２０で画定された空間であり、突合せ接続部Ｂ２００、第１電線１１０の少なくとも一部及び第２電線１２０の少なくとも一部が収容室４０１に嵌め込まれた後、第１位置制限部材４１０及び第２位置制限部材４２０が突合せ接続部Ｂ２００、第１電線１１０の少なくとも一部及び第２電線１２０の少なくとも一部に対し移動を制限することで、電線の落下を防止する。第１電線１１０と第２電線１２０は突き合わせ後、全体的に長くなるため、本実施例内に入線口４０２、第１電線１１０と第２電線１２０は全体として一体化され、入線口４０２を介して収容室４０１内に嵌め込まれることで、取付け作業をより容易にする。
【００６０】
本発明の一実施形態では、図８及び図１１に示すように、前記第１位置制限部材４１０は、前記吸気グリル３００の厚さ方向に沿って伸びるように設けられ、前記突合せ接続部Ｂ２００が前記第１位置制限部材４１０の内側に設けられ、前記第１位置制限部材４１０の内側が前記収容室４０１に隣接する。本実施形態では、第１位置制限部材４１０は、吸気グリル３００の厚さ方向に沿って伸びるように設けられ、空調室内機が壁掛け状態となった時、第１位置制限部材４１０が上下方向に伸びるように配置されるため、第１電線１１０と第２電線１２０が接続された後の全体が空調室内機の前後方向に動くことを防止できる。
【００６１】
本発明の一実施形態では、図１１に示すように、前記第１位置制限部材４１０の内側に位置制限リブ４１１が設けられ、前記位置制限リブ４１１の数は少なくとも２本であり、２本の前記位置制限リブ４１１が前記吸気グリル３００の長さ方向に沿って離間して設けられ、前記突合せ接続部Ｂ２００が２本の前記位置制限リブ４１１の間に設けられる。本実施形態では位置制限リブ４１１を設け、突合せ接続部Ｂ２００が２本の位置制限リブ４１１の間に配置されることにより、突合せ接続部Ｂ２００が吸気グリル３００の長さ方向に沿って往復運動することを防止でき、従って突合せ接続部Ｂ２００に対しより良く移動制限することができる。
【００６２】
本発明の一実施形態では、図７及び図８に示すように、前記第１電線１１０の少なくとも一部は前記第２位置制限部材４２０に支持され、前記第２電線１２０の少なくとも一部は前記第２位置制限部材に支持される。本実施形態では、第２位置制限部材４２０は、吸気グリル３００の前方に突出し、第２位置制限部材４２０は第１電線１１０及び第２電線１２０を支持するために用いられ、第１電線１１０と第２電線１２０の突き合わせ後、全体として収容室４０１内に嵌め込まれ、重力の作用下で第２位置制限部材４２０に支持される。
【００６３】
本発明の一実施形態では、図８及び図９に示すように、内側に設けられた前記突合せ接続部Ｂ２００の前記第１位置制限部材４１０が突合せ接続部用位置制限部材４１０１であり、残りの前記第１位置制限部材４１０が非突合せ接続部用位置制限部材４１０２であると定義し、
前記突合せ接続部用位置制限部材４１０１に近い前記第２位置制限部材４２０は受け部材４２１に支えられ、前記非突合せ接続部用位置制限部材４１０２に近い前記第２位置制限部材４２０が支持部材４２２であると定義する。
前記受け部材４２１は、互いに固定された第１受け部４２１１と第２受け部４２１２とを含み、前記第１受け部４２１１が平板状を呈し、かつ横方向に設けられ、前記第１電線１１０の少なくとも一部及び前記第２電線１２０の少なくとも一部は前記第１受け部４２１１に支えられ、
前記支持部材４２２は、互いに固定された第１支持部４２２１と第２支持部４２２２とを含み、前記第１支持部４２２１が平板状を呈し、かつ縦方向に設けられ、前記第１電線１１０の少なくとも一部及び前記第２電線１２０の少なくとも一部は前記第１支持部４２２１に支えられる。
【００６４】
本実施形態では、突合せ接続部Ｂ２００は、入線口４０２を介して突合せ接続部用位置制限部材４１０１の内側に嵌め込まれる必要がある。突合せ接続部用位置制限部材４１０１の近くに受け部材４２１が設けられ、受け部材４２１は、板状を呈しかつ横方向に設けられた第１受け部４２１１を備えるため、突合せ接続部Ｂ２００の近傍の電線の接触面積を増やすことができることで、突合せ接続部Ｂ２００の固定がより安定する。非突合せ接続部用位置制限部材４１０２は、突合せ接続部Ｂ２００を設置する必要がないため、支持部材４２２を設け、支持部材４２２は第１支持部４２２１と第２支持部４２２２とを含み、第１支持部４２２１が平板状を呈し、かつ縦方向に設けられることにより、電線を嵌め込む時の操作スペースを増し、組み立てを容易にすることができる。
【００６５】
本発明の一実施形態では、前記空調室内機は、パネルフレーム（図示せず）を含み、前記パネルフレームに吸気口が設けられ、前記吸気グリル３００が前記吸気口に設けられ、前記吸気グリル３００は前記パネルフレームから分離可能である。本実施形態では、吸気グリル３００がパネルフレームから分離可能であるため、空調室内機を組み立てる前に、吸気グリル３００及びフィルタを別々に組み立てて、パネルフレームに合わせてフィルタを組み立てる必要性をなくすことができる。
【００６６】
本発明は、空気調和機を更に開示し、前記空気調和機は空調室外機と上記いずれかの実施形態の空調室内機とを含む。
【００６７】
前記空調室内機は、
その一端は、前記清掃モジュールに接続され、他端に第１接続端子Ｂ２１０が設けられる第１電線１１０と、
その一端は、前記電気制御ボックスに接続され、他端に第２接続端子Ｂ２２０が設けられる第２電線１２０と、
前記清掃モジュールと前記電気制御ボックスの間に設けられ、前記第１電線１１０は前記電気制御ボックスに向かって伸び、前記第２電線１２０が前記清掃モジュールに向かって伸び、前記第１接続端子Ｂ２１０と前記第２接続端子Ｂ２２０が接続されて突合せ接続部Ｂ２００となり、前記突合せ接続部Ｂ２００が固定される吸気グリル３００と、
を含む。
【００６８】
前記空調室外機は、空調室内機と冷媒循環を構成する従来技術の空調室外機であってもよい。
【００６９】
本実施形態の空調室内機の構造は上記実施形態を参照されたい。本実施形態の空調室内機の構造は上記実施形態の技術的手段を採用するため、少なくとも上記実施形態の技術的手段でもたらされる有利な効果を持っており、ここではこれ以上説明しない。
【００７０】
本発明は、空気調和機を更に開示し、前記空気調和機は空調室外機と上記いずれかの実施形態の空調室内機とを含む。
【００７１】
前記空調室内機は、
電気制御ボックス（図示せず）と、
清掃モジュール２１０とフィルタレールモジュール２２０とを含み、前記清掃モジュール２１０はフィルタを前記フィルタレールモジュール２２０において移動させるよう駆動して前記フィルタを清掃し、前記清掃モジュール２１０に電線接続部（図示せず）が設けられる清掃部材２００と、
前記清掃モジュール２１０及び前記フィルタレールモジュール２２０に配置され、その一端は前記電線接続部に接続され、他端が前記電気制御ボックスに接続される電線Ａ４００と、
を含む。
【００７２】
本実施形態の空調室内機の具体的な構造は上記実施形態を参照されたい。本実施形態の空調室内機の構造は上記実施形態の技術的手段を採用するため、少なくとも上記実施形態の技術的手段でもたらされる有利な効果を持っており、ここではこれ以上説明しない。空調室外機と空調室内機の間で冷媒の循環を実現し、空調室外機の具体的な構造は、従来技術の空調室外機を参照できるため、ここではこれ以上説明しない。
【００７３】
本発明では好ましい実施形態を前述の通り開示したが、これらは決して本発明を限定するものではなく、本発明の明細書及び添付図面を利用して均等の範囲内で各種の変更や修飾、若しくは直接的又は間接的にその他の関連の技術分野に運用されることは、すべて本発明の特許請求の範囲内に含まれる。
【符号の説明】
【００７４】
１１０  第１電線
１２０  第２電線
２００  清掃部材
２１０  清掃モジュール
２１１  第１電線係止部
２１１１  第１貫通孔
２１２  第２電線係止部
２１２１  第２貫通孔
２１３  第３電線係止部
２１３１  電線通過部
２１３２  引込口
２２０  フィルタレールモジュール
２２１  第４電線係止部
２２１１  第１位置制限部材
２２１２  第２位置制限部材
２２１３  電線通過溝
２２１４  入線口
３００  吸気グリル
４０１  収容室
４０２  入線口
４１０  第１位置制限部材
４１０１  突合せ接続部用位置制限部材
４１０２  非突合せ接続部用位置制限部材
４１１  位置制限リブ
４２０  第２位置制限部材
４２１  受け部材
４２１１  第１受け部
４２１２  第２受け部
４２２  支持部材
４２２１  第１支持部
４２２２  第２支持部
Ａ４００  電線
Ａ４１０  第１電線区間
Ａ４２０  第２電線区間
Ｂ２００  突合せ接続部
Ｂ２１０  第１接続端子
Ｂ２２０  第２接続端子
【図１】
2021515166.tif 000003
【図２】
2021515166.tif 000004
【図３】
2021515166.tif 000005
【図４】
2021515166.tif 000006
【図５】
2021515166.tif 000007
【図６】
2021515166.tif 000008
【図７】
2021515166.tif 000009
【図８】
2021515166.tif 000010
【図９】
2021515166.tif 000011
【図１０】
2021515166.tif 000012
【図１１】
2021515166.tif 000013
【国際調査報告】
2021515166.tif 000014
2021515166.tif 000015
2021515166.tif 000016
2021515166.tif 000017